【手続補正書】
【提出日】平成16年12月28日(2004.12.28)
【手続補正１】
【補正対象書類名】明細書
【補正対象項目名】発明の名称
【補正方法】変更
【補正の内容】
【発明の名称】レーザー製版方法、レーザー製版装置及びレーザー製版装置を有する印刷機
【手続補正２】
【補正対象書類名】明細書
【補正対象項目名】特許請求の範囲
【補正方法】変更
【補正の内容】
【特許請求の範囲】
【請求項１】
近赤外吸収色素含有の感光性層を支持体上に設け且つ光強度密度１００Ｗｃｍ−２以下の近赤外光を０．１秒以上照射して感光性層を熱乾燥させることにより感光性画像形成材料を構成した後、レーザー光線により毎秒０．１ｍ以上の走査速度で走査画像露光を行い、次いで、製版処理を施して感光性層により画像形成することを特徴とするレーザー製版方法。
【請求項２】
画像形成材料固定用ドラム、版材供給機構、製版処理剤供給機構および露光機構を少なくとも有するレーザー製版装置を使用すると共に、（Ａ）：画像形成材料固定用ドラム上に固定した支持体上に版材供給機構から感光性版材を供給塗布して画像形成材料となし、次いで、（Ｂ）：露光機構により画像形成材料を画像露光した後、（Ｃ）：画像露光済み画像形成材料上に製版処理剤供給機構から製版処理剤を供給し、更に、必要に応じて物理的刺激を与えることにより画像形成する請求項１に記載のレーザー製版方法。
【請求項３】
（Ｄ）：画像形成された画像形成材料の画像表面にインキ着肉装置から印刷インキを供給し、そして、画像形成材料固定用ドラムを回転させると共に印刷紙を供給して印刷した後、（Ｅ）：版材除去機構により支持体上の画像部分を除去して支持体を再生する請求項２に記載のレーザー製版方法。
【請求項４】
画像形成材料が、７００〜１３００ｎｍの近赤外レーザー露光用光重合性画像形成材料、または、４００〜４２０ｎｍの青紫レーザー露光用光重合性画像形成材料である請求項１〜３の何れかに記載のレーザー製版方法。
【請求項５】
画像形成材料が、画像露光用光源の光を吸収して熱に変換する光変換物質（Ａ）とノボラック樹脂（Ｂ）を含有するポジ感光性組成物から成る７００〜１３００ｎｍの近赤外レーザー露光用ポジ型感光性版材である請求項１〜３の何れかに記載のレーザー製版方法。
【請求項６】
画像形成材料を固定する画像形成材料固定用ドラムを備えたレーザー製版装置において、前記画像形成材料固定用ドラム上に固定された支持体上に、感光性版材を供給塗布する画像形成材料を形成する版材供給機構と、前記画像形成材料を画像露光する露光機構と、画像形成済みの前記画像形成材料上に製版処理剤を供給する製版処理剤供給機構と、を備えていることを特徴とするレーザー製版装置。
【請求項７】
画像形成材料を固定する画像形成材料固定用ドラムを具えたレーザー製版装置を有する印刷機において、前記レーザー製版装置は、前記画像形成材料固定用ドラム上に固定された支持体上に、感光性版材を供給塗布する画像形成材料を形成する版材供給機構と、前記画像形成材料を画像露光する露光機構と、画像形成済みの前記画像形成材料上に製版処理剤を供給する製版処理剤供給機構と、を備えていることを特徴とするレーザー製版装置を有する印刷機。
【手続補正３】
【補正対象書類名】明細書
【補正対象項目名】０００１
【補正方法】変更
【補正の内容】
【０００１】
【発明の属する技術分野】
本発明は、特にレーザー製版装置において好適に実施し得るレーザー製版方法、レーザー製版装置及びレーザー製版装置を有する印刷機であって、支持体上に塗布形成した感光性層をレーザー光線によって画像露光させることにより、画像形成済みの画像形成材料を作製するレーザー製版方法、レーザー製版装置及びレーザー製版装置を有する印刷機に関し、更に詳しくは、支持体上に感光性層を形成する際に特定の光強度密度で特定の時間だけ近赤外光を照射することによって加熱処理を施すレーザー製版方法、レーザー製版装置及びレーザー製版装置を有する印刷機に関する。斯かるレーザー製版方法、レーザー製版装置及びレーザー製版装置を有する印刷機は、平版印刷版、配線板レジスト、校正用カラープルーフ、グラビア用銅レジスト、カラーフィルター、プラズマディスプレー等に使用される画像形成材料の作製に好適である。
【手続補正４】
【補正対象書類名】明細書
【補正対象項目名】０００７
【補正方法】変更
【補正の内容】
【０００７】
本発明は、上記の実情に鑑みてなされたものであり、その目的は、支持体上に塗布形成した感光性層をレーザー光線によって画像露光させることにより、画像形成済みの画像形成材料を作製するレーザー製版方法、レーザー製版装置及びレーザー製版装置を有する印刷機であって、支持体上に感光性層を形成する際、塗布した感光性層溶液だけを短時間で乾燥させ、効率的に画像形成材料を作製できるレーザー製版方法、レーザー製版装置及びレーザー製版装置を有する印刷機を提供することにある。
【手続補正５】
【補正対象書類名】明細書
【補正対象項目名】０００８
【補正方法】変更
【補正の内容】
【０００８】
【課題を解決するための手段】
上記の課題を解決するため、本発明のレーザー製版方法は、近赤外吸収色素含有の感光性層を支持体上に設け且つ光強度密度１００Ｗｃｍ−２以下の近赤外光を０．１秒以上照射して感光性層を熱乾燥させることにより感光性画像形成材料を構成した後、レーザー光線により毎秒０．１ｍ以上の走査速度で走査画像露光を行い、次いで、製版処理を施して感光性層により画像形成することを特徴とする。
また、本発明のレーザー製版装置は、画像形成材料を固定する画像形成材料固定用ドラムを備えたレーザー製版装置において、前記画像形成材料固定用ドラム上に固定された支持体上に、感光性版材を供給塗布する画像形成材料を形成する版材供給機構と、前記画像形成材料を画像露光する露光機構と、画像形成済みの前記画像形成材料上に製版処理剤を供給する製版処理剤供給機構と、を備えていることを特徴とする。
また、本発明のレーザー製版装置を有する印刷機は、画像形成材料を固定する画像形成材料固定用ドラムを具えたレーザー製版装置を有する印刷機において、前記レーザー製版装置は、前記画像形成材料固定用ドラム上に固定された支持体上に、感光性版材を供給塗布する画像形成材料を形成する版材供給機構と、前記画像形成材料を画像露光する露光機構と、画像形成済みの前記画像形成材料上に製版処理剤を供給する製版処理剤供給機構と、を備えていることを特徴とする。
【手続補正６】
【補正対象書類名】明細書
【補正対象項目名】００１１
【補正方法】変更
【補正の内容】
【００１１】
本発明のレーザー製版方法は、概略、近赤外吸収色素含有の感光性層を支持体上に設け且つ近赤外光を照射して感光性層を熱乾燥させることにより感光性画像形成材料を構成した後、レーザー光線により走査画像露光を行い、次いで、製版処理を施して感光性層により画像形成する製版方法である。そして、本発明のレーザー製版方法は、図１に示す様なレーザー製版装置、すなわち、例えば平版印刷版（画像形成材料）を機上製版して印刷する平版印刷機としてのレーザー製版装置であって、画像形成材料固定用ドラム、版材供給機構、製版処理剤供給機構および露光機構を少なくとも有するレーザー製版装置及びそのようなレーザー製版装置を有する印刷機において好適に実施される。
【手続補正７】
【補正対象書類名】明細書
【補正対象項目名】００５８
【補正方法】変更
【補正の内容】
【００５８】
【発明の効果】
以上説明した様に、本発明のレーザー製版方法、レーザー製版装置及びレーザー製版装置を有する印刷機によれば、画像形成材料の感光性層の構成において、支持体上の感光性層を乾燥させる際、近赤外吸収色素を含有する感光性層に対し、特定の光強度密度にて近赤外光を特定時間照射し、感光性層のみを発熱加熱して乾燥させるため、画像形成材料のドラム支持体の大きな温度上昇を惹起することなく、かつ、感光性層だけを短時間で乾燥させることが出来、効率的に画像形成材料を作製できる。